(57)【要約】【課題】腰板に対して飾り板を容易に脱着させることができ、かつ腰板に対して飾り板を安定良く取付けることができるパチンコ機の外枠構造を提供する。【解決手段】パチンコ機の外枠の下辺部に設けられた腰板５に対して、取替可能に取付けられる飾り板６を有するパチンコ機の外枠構造であって、飾り板６の背面には、背面から突出する弾性片７０と、その弾性片７０の先端部から折返して延出する折返片７１とを一体に有する係止部材７が設けられている。そして係止部材７を腰板５の前面から腰板５に設けられた挿通路５１に押し込むことで、弾性片７０が弾性変形しながら挿通路５１を挿通し、折返片７１が挿通路５１を通過して腰板５の背面に配されることで、弾性片７０が弾性戻りをし、その弾性片７０の弾性力によって折返片７１が腰板５の背面を前面側に向けて押圧する。【選択図】        図７
2004261290.tif 000002
【特許請求の範囲】
【請求項１】
パチンコ機の外枠の下辺部に設けられた腰板に対して、取替可能に取付けられる飾り板を有するパチンコ機の外枠構造であって、
前記飾り板の背面には、該背面から突出する弾性片と、その弾性片の先端部から折返して延出する折返片とを一体に有する係止部材が設けられており、
前記係止部材を前記腰板の前面から前記腰板に設けられた挿通路に押し込むことで、前記弾性片が弾性変形しながら前記挿通路を挿通し、前記折返片が前記挿通路を通過して前記腰板の背面に配されることで、前記弾性片が弾性戻りをし、その弾性片の弾性力によって前記折返片が前記腰板の背面を前面側に向けて押圧することを特徴とするパチンコ機の外枠構造。
【請求項２】
請求項１に記載のパチンコ機の外枠構造であって、
弾性片には、前記弾性片の基部を補強する補強リブが設けられていることを特徴とするパチンコ機の外枠構造。
【請求項３】
請求項２に記載のパチンコ機の外枠構造であって、
弾性片の補強リブは、飾り板の背面に設けられた前記飾り板を補強するためのリブ構造と一体状に形成されていることを特徴とするパチンコ機の外枠構造。
【発明の詳細な説明】
【０００１】
【発明の属する技術分野】
この発明は、パチンコ機の外枠の下辺部に設けられた腰板に対して取替可能に取付けられる飾り板を有するパチンコ機の外枠構造に関する。
【０００２】
【従来の技術】
パチンコ機の外枠の下辺部に設けられた腰板に、飾り板が取付けられるパチンコ機の外枠構造が従来知られていた。例えば特許文献１、２に記載の外枠構造が知られていた。これら外枠構造によると、飾り板が腰板に対して取替可能に取付けられており、飾り板がパチンコ機の台替時に取替えられ、パチンコ機の外枠と腰板とが再利用できる構造であった。
また特許文献１の構造によると、腰板には、厚み方向に貫通する係合穴部が設けられていた。そして飾り板の背面には、その係合穴部に係合する弾性係合部材が設けられていた。弾性係合部材は、飾り板の背面から延出する弾性片と、弾性片の一部から突起状に突出する係合突起を有する構造であった。そして係合穴部に弾性係合部材を押し込むことで、弾性片が弾性変形しながら係合穴部に挿入され、係合突起が係合穴部の背面側の周縁部に引っ掛かる構造であった。
また特許文献２の構造によると、腰板には、前面一部を掘込み状にして形成した係合凹部が設けられていた。そして飾り板の背面には、その係合凹部に係合する弾性係合部材が設けられていた。そして弾性係合部材は、係合凹部に押込まれることで、係合凹部内すなわち腰板の板厚内で腰板に係合する構造であった。
【０００３】
【特許文献１】
特開平１１−２４４４９４号公報
【特許文献２】
特開平１１−１３７８００号公報
【０００４】
【発明が解決しようとする課題】
上記した従来技術の構造においても、飾り板は、腰板に対して取替可能に取付けられていたが、この取替時の脱着の容易を確保しつつ、装着時の取付安定性を一層向上させることが望まれていた。
然して本発明は、腰板に対して飾り板を容易に脱着させることができ、かつ腰板に対して飾り板を安定良く取付けることができるパチンコ機の外枠構造を提供することを課題とする。
【０００５】
【課題を解決するための手段】
前記課題を解決するために本発明は、上記各請求項に記載の通りの構成を備えるパチンコ機の外枠構造であることを特徴とする。
請求項１に記載の発明によれば、飾り板の背面には、背面から突出する弾性片と、その弾性片の先端部から折返して延出する折返片とを一体に有する係止部材が設けられている。そして係止部材を腰板の前面から腰板に設けられた挿通路に押し込むことで、弾性片が弾性変形しながら挿通路を挿通し、折返片が挿通路を通過して腰板の背面に配されることで、弾性片が弾性戻りをし、その弾性片の弾性力によって折返片が腰板の背面を前面側に向けて押圧する。
【０００６】
すなわち係止部材は、弾性片と折返片を有する。そして弾性片は、弾性変形しながら腰板の挿通路に挿通される。そして折返片は、弾性片の弾性力を利用して腰板の背面を前面側へ向けて押圧する。
したがって係止部材は、弾性片の弾性変形によって腰板に対して容易に取付けられる。また係止部材は、腰板の背面に係止する構造である。そのため係止部材は、腰板の背面側から操作されることで、容易に腰板から取り外され得る。
かくして係止部材は、腰板に対して容易に脱着され得る構造になっている。
【０００７】
また折返片は、弾性片の弾性力によって腰板を背面側から前面側へ押圧する。したがって折返片は、安定よく腰板に係止する。例えば、腰板の厚みにバラツキがある場合であっても、折返片は、安定よく腰板を押圧し、腰板に係止する。
また折返片は、弾性片の先端部から折返して延出する形態である。そのため折返片は、挿通路から離れた位置において腰板を押圧する。したがって折返片が挿通路から抜け出てしまうおそれが少なく、腰板を確実に押圧できる。
以上のことから、飾り板は、腰板に対して容易に脱着されるとともに、腰板に対して安定良く取付けられ得る。
【０００８】
請求項２に記載の発明によれば、弾性片には、弾性片の基部を補強する補強リブが設けられている。
ところで弾性片は、飾り板の背面から突出する構成になっている。そのため弾性片は、弾性変形する際に基部（飾り板の背面寄りの弾性片の一部）に応力が集中しやすい。これに対して本発明は、弾性片の基部に補強リブが設けられている。したがって弾性片は、破損しにくく、これによって係止部材は、腰板に対して安定良く係止する。
【０００９】
請求項３に記載の発明によると、弾性片の補強リブは、飾り板の背面に設けられた飾り板を補強するためのリブ構造と一体状に形成されている。
すなわち補強リブは、飾り板のリブ構造の一部をも構成する。
したがって補強リブは、係止部材を補強すると同時に飾り板をも補強し、構造の共通化によって飾り板の構造が容易になる。
【００１０】
【発明の実施の形態】
本発明の実施の形態を図にしたがって説明する。
パチンコ機１は、図１に示すように方形枠状に形成された外枠２と、外枠２の左端に取付けられたパチンコ機本体１２を有する。そして外枠２の下辺部には、腰板５が取付けられており、腰板５には、飾り板６が取替可能に取付けられている。
【００１１】
パチンコ機本体１２は、内枠１２ａを有しており、内枠１２ａは、外枠２の左端に設けられたヒンジ１０，１１を介して外枠２に対して回動可能に支持されている。
そして内枠１２ａには、内枠１２ａの下端部を除く略中央部分に遊戯盤１２ｂが取付けられており、遊戯盤１２ｂの下方部分には、発射玉供給皿１２ｃと余剰玉貯留皿１２ｄとが前方（図１の紙面奥方）に突出するように組み込まれている。また内枠１２ａの右下隅部（図１の左側）には、発射装置を構成するハンドル１２ｅが取付けられている。
【００１２】
外枠２は、木製であって、図１に示すように左右一対の縦枠板３と、上下一対の横枠板４を方形枠状に組むことで構成されている。
そして外枠２に取付けられる腰板５も、木製であって、左右の縦枠板３の下辺部の前側に取付けられている。したがって腰板５は、腰板５の板厚分だけ縦枠板３よりも手前側に突出する。そして腰板５は、左右の縦枠板３を横架することで、外枠２の下辺部を補強する。
また腰板５は、左右両端部に切欠き部５０を有する。切欠き部５０は、腰板５の左右両端部の下側一部分を切り欠いた構成である。したがって切欠き部５０によって縦枠板３の下端一部分が、腰板５によって覆われない構成になっている。また切欠き部５０は、縦枠板３よりもさらに左右中央位置方向に切り欠いた構成であって、縦枠板３と腰板５との間に隙間を形成する。そしてその隙間によって、縦枠板３と腰板５との間に挿通路５１が形成されている。そして挿通路５１には、図７に示すように飾り板６の係止部材７が挿通される。
【００１３】
飾り板６は、合成樹脂材から成形されており、図２に示すように板状の本体板部６０を有する。そして本体板部６０の左右両端には、端縁に沿って立設する側面部６１が一体に形成されており、上端縁には、上端縁に沿って立設する上面部６２が一体に形成されている。
そして飾り板６が腰板５に取付けられることで、本体板部６０が腰板５の前面を覆い、側面部６１が腰板５の側端面を覆い、上面部６２が腰板５の上端面を覆う。このため飾り板６は、腰板５をほぼ完全に覆う。
【００１４】
また飾り板６の背面には、図３に示すように複数の係止部材７が一体状に設けられている。係止部材７は、本体板部６０の左右両端寄りにそれぞれ一つずつ設けられている。そしてこれら係止部材７は、図４，５に示すように本体板部６０の背面から突出する弾性片７０と、弾性片７０の先端部から折返し状に延出する折返片７１とを一体に備える。
【００１５】
弾性片７０と折返片７１は、板状に形成されており、板幅方向が飾り板６の高さ方向と平行になるように形成されている。したがって弾性片７０は、板厚方向に弾性変形しやすく、弾性変形することで左右方向に傾倒する。
また弾性片７０は、図４，５に示すように本体板部６０の左右両端側から中央側に向けて斜めに延出する。したがって弾性片７０の先端部は、弾性片７０の基部よりも左右中央寄りに位置する。
折返片７１は、図４，５に示すように弾性片７０の先端部から本体板部６０に向けて延出する。また折返片７１は、弾性片７０の先端部から左右中央寄りに向けて斜めに延出する。
【００１６】
また弾性片７０には、図４，５に示すように弾性片７０を補強する補強リブ８０，８１が設けられている。
補強リブ８０，８１は、本体板部６０側の弾性片７０の一部（基部）に一体状に設けられている。補強リブ８０は、弾性片７０よりも本体板部６０の左右中央寄り位置に設けられており、弾性片７０が左右中央寄りに倒れることを防止する。一方、補強リブ８１は、弾性片７０よりも本体板部６０の左右端側に設けられており、弾性片７０が左右端側に倒れることを防止する。したがって補強リブ８０，８１は、協働して弾性片７０が厚み方向に倒れることを防止する。
【００１７】
また補強リブ８０は、図４，５に示すように折返片７１と本体板部６０によって挟まれた領域を避けた位置であって、弾性片７０の上端縁に沿った位置に設けられている。したがって補強リブ８０は、抜き型などを増やすことなく、容易に形成され得る。
一方、補強リブ８１は、図４，５に示すように弾性片７０の板幅中央部に設けられており、弾性片７０の板幅中央部を支持する。
【００１８】
また本体板部６０は、図４，５に示すように背面にリブ構造６３を有する。リブ構造６３は、本体板部６０の背面に左右方向および上下方向に延出する複数のリブを有する構造であって、本体板部６０を補強する。
そしてリブ構造６３に、補強リブ８０，８１と弾性片７０とが一体状に成形されている。したがって補強リブ８０，８１と弾性片７０は、リブ構造６３の一部をも構成する構造になっている。
【００１９】
次に、係止部材７を腰板５に対して取付ける方法を説明する。
先ず、図１に示すように飾り板６を腰板５の前面から背面へ向けて押し付ける。これにより係止部材７は、図７に示すように挿通路５１に押込まれる。
そして挿通路５１に係止部材７が押込まれることで、一対の弾性片７０が弾性変形する。その方向は、一対の弾性片７０が左右両側へ拡開する方向であって、一対の弾性片７０が腰板５を挟む方向に付勢する。したがって一対の弾性片７０を腰板５に対して真直ぐに押込むことができる。
そして弾性片７０が、弾性変形しながら挿通路５１を通り、腰板５の前面から背面へ挿通する。
【００２０】
そして弾性片７０と折返片７１、および飾り板６の全体が弾性変形することで、折返片７１が挿通路５１を通過して腰板５の背面に配される。そして弾性片７０と折返片７１、および飾り板６が弾性戻りをする。このため折返片７１は、弾性片７０および折返片７１自身の弾性戻りによる弾性力によって腰板５の背面を押圧し、腰板５の背面を前面側に向けて付勢する。
なお弾性片７０は、図７に示すように係止部材７が腰板５に係止した状態においても弾性変形された状態になっている。したがって弾性片７０は、折返片７１を常時、腰板５の背面に押圧し、折返片７１は、常時、腰板５を押圧する。
【００２１】
以上のようにして飾り板６は、ワンタッチで腰板５に取付けられる。
また折返片７１は、図７に示すように先端部７ａが腰板５に当接する構造であるが、先端部７ａは、断面略半円状に形成された曲面を有する。したがって折返片７１は、腰板５を傷付けにくい状態で腰板５に係止する。
【００２２】
次に、係止部材７を腰板５から取外す方法を説明する。
パチンコ機１の背面から係止部材７を操作し、一対の弾性片７０を左右両側に拡開する方向に弾性変形させる（図６，７参照）。これにより折返片７１が挿通路５１側へ移動する。そして係止部材７を腰板５の前面へ押して、折返片７１を挿通路５１に挿通させる。これにより係止部材７が腰板５から外れ、飾り板６が腰板５から取外される。
【００２３】
以上のようにしてパチンコ機１の外枠構造が形成される。
すなわち係止部材７は、図７に示すように弾性片７０と折返片７１を有する。そして弾性片７０は、弾性変形しながら腰板５の挿通路５１に挿通される。そして折返片７１は、弾性片７０の弾性力を利用して腰板５の背面を前面側へ向けて押圧する。
したがって係止部材７は、弾性片７０の弾性変形によって腰板５に対して容易に取付けられる。また係止部材７は、腰板５の背面に係止する構造である。そのため係止部材７は、腰板５の背面側から操作されることで、容易に腰板５から取り外され得る。かくして係止部材７は、腰板５に対して容易に脱着され得る構造になっている。
【００２４】
また折返片７１は、弾性片７０の弾性力および折返片７１自身の弾性力によって腰板５を背面側から前面側へ（板厚方向へ）押圧する。したがって折返片７１は、安定よく腰板５に係止する。例えば、腰板５の厚みにバラツキがある場合であっても、折返片７１は、安定よく腰板５を押圧し、腰板５に係止する。
また折返片７１は、弾性片７０の先端部から折返して延出する形態である。そのため折返片７１は、挿通路５１から離れた位置において腰板５を押圧する。したがって折返片７１が挿通路５１から抜け出てしまうおそれが少なく、腰板５を確実に押圧できる。
以上のことから、飾り板６は、腰板５に対して容易に脱着されるとともに、腰板５に対して安定良く取付けられ得る。
【００２５】
また弾性片７０には、弾性片７０の基部を補強する補強リブ８０，８１が設けられている。
ところで弾性片７０は、本体板部６０の背面から突出する構成になっている。そのため弾性片７０は、弾性変形する際に基部（本体板部６０の背面寄りの弾性片７０の一部）に応力が集中しやすい。これに対して本形態は、弾性片７０の基部に補強リブ８０，８１が設けられている。したがって弾性片７０は、破損しにくく、これによって係止部材７は、腰板５に対して安定良く係止する。
【００２６】
また補強リブ８０，８１は、本体板部６０の背面に設けられた本体板部６０を補強するためのリブ構造６３と一体状に形成されている。
すなわち補強リブ８０，８１は、本体板部６０のリブ構造６３の一部をも構成する。したがって補強リブ８０，８１は、係止部材７を補強すると同時に本体板部６０をも補強し、構造の共通化によって飾り板６の構造が容易になる。
【００２７】
また挿通路５１は、図１に示すように腰板５の左右端の一部に切込み部５０を形成することで、腰板５の左右端に形成されている。そして挿通路５１は、腰板５の左右端縁と外枠２（縦枠板３）の内側縁との間に形成される。したがって挿通路５１は、腰板５に穴空け加工を施すことなく、容易に形成され得る構造になっている。
また弾性片７０は、補強リブ８０，８１を有しており、その補強リブ８０，８１の高さを調整することで、容易にその弾性力を調整することもできる。したがって折返片７１による腰板５の押圧を容易に所望の大きさに設計調整することができる。
【００２８】
また本発明は、上記の実施の形態に限定されず、以下の形態であってもよい。
すなわち上記の実施の形態では、腰板５に形成された切込み部５０によって挿通路５１が形成されていた。しかし腰板５に貫通孔を設けて、これによって挿通路を構成し、その挿通路に係止部材を挿通させる形態であってもよい。
【００２９】
【発明の効果】
本発明に係るパチンコ機の外枠構造によれば、腰板に対して飾り板を容易に脱着させることができ、かつ腰板に対して飾り板を安定良く取付けることができる。
【図面の簡単な説明】
【図１】パチンコ機の正面斜視図である。
【図２】飾り板の正面斜視図である。
【図３】飾り板の背面斜視図である。
【図４】飾り板の右寄り位置に設けられた係止部材の背面斜視図である。
【図５】飾り板の左寄り位置に設けられた係止部材の背面斜視図である。
【図６】図１の矢印Ａ方向からのパチンコ機の背面図である。
【図７】図６の矢印Ｂ−Ｂ線断面矢視図である。
【符号の説明】
１…パチンコ機
２…外枠
５…腰板
６…飾り板
７…係止部材
５１…挿通路
６３…リブ構造
７０…弾性片
７１…折返片
８０，８１…補強リブ
【図１】
2004261290.tif 000003
【図２】
2004261290.tif 000004
【図３】
2004261290.tif 000005
【図４】
2004261290.tif 000006
【図５】
2004261290.tif 000007
【図６】
2004261290.tif 000008
【図７】
2004261290.tif 000009